(57)【特許請求の範囲】
【請求項１】
水硬率（Ｈ．Ｍ．）が２．００〜２．１０、フリーライム量が０．２〜０．８質量％、全クロム量が２００ｐｐｍ以上、及び、全クロム量中の六価クロムの割合が１０質量％以下であることを特徴とするセメントクリンカー。
【請求項２】
上記セメントクリンカーは、還元焼成によって得られたものである請求項１に記載の
セメントクリンカー。
【請求項３】
請求項１又は２に記載のセメントクリンカーを製造するための方法であって、都市ごみ焼却灰を含むクリンカー原料を、還元剤の存在下でかつ焼成後のフリーライム量が０．２〜０．８質量％になるように、還元焼成して、上記セメントクリンカーを得ることを特徴とするセメントクリンカーの製造方法。
【請求項４】
上記還元焼成は、焼成のためのバーナーの炎が、焼成の終了前のセメントクリンカーに直接当たるように行なわれる請求項３に記載のセメントクリンカーの製造方法。
【請求項５】
上記セメントクリンカー１ｔｏｎ当たり、上記都市ごみ焼却灰を２５０ｋｇ以上の量で用いる請求項３又は４に記載のセメントクリンカーの製造方法。
【請求項６】
請求項１又は２に記載のセメントクリンカーの粉砕物、及び、石膏を含むことを特徴とする固化材。
【発明の詳細な説明】
【技術分野】
【０００１】
本発明は、セメントクリンカー、その製造方法、及び、固化材に関する。
【背景技術】
【０００２】
近年、分別やリサイクルの普及等により、都市ごみの処分量が減少しているため、最終処分場を利用できる残余年数は微増傾向にある。しかし、大量に発生し続ける都市ごみを、将来的にどのように処理していくかは、我が国の持続的な経済発展において、極めて重大な問題である。
また、都市ごみの大量発生源である都市部の周辺に、新たな最終処分場を確保することは、規制の強化等により困難な状況になっており、都市部のごみを地方に押し付けるという、新たな社会問題が生じている。
【０００３】
収集された都市ごみの多くは、減容を主目的として焼却処理される。焼却処理によって生じた焼却灰（都市ごみ焼却灰）の一部は、さらに熱処理を施した後、溶融スラグとして再利用される。しかし、溶融スラグは、その用途の開発が困難であり、製造に多量のエネルギーを必要とする等の問題を有している。このため、都市ごみ焼却灰の多くは最終処分されているのが現状である。
【０００４】
都市ごみ焼却灰の活用技術として、エコセメントが挙げられる。エコセメントは、都市ごみ焼却灰を主とした各種廃棄物を、製品１トンにつき、乾燥質量で５００ｋｇ以上を原料として使用して製造されたセメントである。
エコセメントは、コンクリート製品や土木工事向けの生コンクリートの水硬性材料として、ポルトランドセメントと同様に使用されている。しかし、原料として都市ごみ焼却灰等の廃棄物を使用しているため、エコセメント中の重金属類（特に、クロム）の含有率は、ポルトランドセメントに比べて多い。固化改良土からの六価クロムの溶出量について、土壌汚染対策法や水質汚濁防止法等によって規制があることから、エコセメントは、固化改良土用の固化材としては不向きであった。
【０００５】
原料として廃棄物を多量に使用し、かつ、固化改良土からの六価クロムの溶出量を低減することができる固化材として、例えば、特許文献１には、セメントと、キレート化合物を含有してなる六価クロム溶出低減剤とを含有してなるセメント組成物が記載されている。
また、特許文献２には、セメント系固化材及び、石炭又は亜炭の粉末の混合物からなることを特徴とする地盤改良材が記載されている。
さらに、特許文献３には、水硬率（Ｈ．Ｍ．）が２．２０〜２．４５、３ＣａＯ・ＳｉＯ２含有量が６１質量％以上、４ＣａＯ・Ａｌ２Ｏ３・Ｆｅ２Ｏ３含有量が６〜１４質量％で、４ＣａＯ・Ａｌ２Ｏ３・Ｆｅ２Ｏ３のＸ線回折角（２θ）が１２．１°のピークの半値幅が、０．２°以上、０.２５°以下であり、かつブレーン比表面積が３，０００〜４，５００ｃｍ２／ｇになるように粉砕した際のハンターＬａｂ表色系におけるｂ値が８．５以上であることを特徴とするセメントクリンカー、及び該セメントクリンカーを用いた固化材が記載されている。
【先行技術文献】
【特許文献】
【０００６】
【特許文献１】特開２００２−６０７５１号公報
【特許文献２】特開２００１−１３９９４８号公報
【特許文献３】特開２０１０‐６４９０５号公報
【発明の概要】
【発明が解決しようとする課題】
【０００７】
特許文献３に記載されたセメントクリンカーを用いた固化材は、強度発現性等に優れかつ製造原価が低いものである。
しかし、上記セメントクリンカーは、原料を還元雰囲気下で焼成する際に、３ＣａＯ・ＳｉＯ2（エーライト；以下、「Ｃ3Ｓ」ともいう。）の分解を原因とする、固化材の強度発現性の低下を防ぐために、水硬率を高く（２．２０〜２．４５）設定している。
ここで、セメントクリンカーの水硬率を高くするには、原料中のＣａＯの量を多くする必要がある。このため、特許文献３に記載されたセメントクリンカーでは、その原料として、ＣａＯの含有量が少ない廃棄物（例えば、都市ごみ焼却灰）の使用量を増やすことが困難であった。したがって、上記セメントクリンカー中の全クロム量の上限値は、１５０ｍｇ／ｋｇと、一般的なポルトランドセメントクリンカーと同程度であった。
本発明は、セメントクリンカーの原料（以下、「クリンカー原料」ともいう。）として用いられる都市ごみ焼却灰の使用量を増加させることができ、また、セメントクリンカー中の全クロム量が多くても、該セメントクリンカーを含む固化材を用いた固化改良土からの、六価クロムの溶出量を低減することができるセメントクリンカーを提供することを目的とする。
【課題を解決するための手段】
【０００８】
本発明者は、上記課題を解決するために鋭意検討した結果、水硬率（Ｈ．Ｍ．）が２．００〜２．１０、フリーライム量が０．２〜０．８質量％、全クロム量が２００ｐｐｍ以上、及び、全クロム量中の六価クロムの割合が１０質量％以下であるセメントクリンカーによれば、本発明の目的を達成することができることを見出し、本発明を完成した。
すなわち、本発明は、以下の［１］〜［６］を提供するものである。
［１］  水硬率（Ｈ．Ｍ．）が２．００〜２．１０、フリーライム量が０．２〜０．８質量％、全クロム量が２００ｐｐｍ以上、及び、全クロム量中の六価クロムの割合が１０質量％以下であることを特徴とするセメントクリンカー。
［２］  上記セメントクリンカーは、還元焼成によって得られたものである前記［１］に記載のセメントクリンカー。
［３］  前記［１］又は［２］に記載のセメントクリンカーを製造するための方法であって、都市ごみ焼却灰を含むクリンカー原料を、還元剤の存在下でかつ焼成後のフリーライム量が０．２〜０．８質量％になるように、還元焼成して、上記セメントクリンカーを得ることを特徴とするセメントクリンカーの製造方法。
［４］  上記還元焼成は、焼成のためのバーナーの炎が、焼成の終了前のセメントクリンカーに直接当たるように行なわれる前記［３］に記載のセメントクリンカーの製造方法。
［５］  上記セメントクリンカー１ｔｏｎ当たり、上記都市ごみ焼却灰を２５０ｋｇ以上の量で用いる前記［３］又は［４］に記載のセメントクリンカーの製造方法。
［６］  前記［１］又は［２］に記載のセメントクリンカーの粉砕物、及び、石膏を含むことを特徴とする固化材。
【発明の効果】
【０００９】
本発明のセメントクリンカーによれば、セメントクリンカーの原料として用いられる都市ごみ焼却灰の使用量を増加させることができる。
また、本発明のセメントクリンカーによれば、セメントクリンカー中の全クロム量が多くても、該セメントクリンカーを含む固化材を用いた固化改良土からの、六価クロムの溶出量を低減することができる。
【発明を実施するための形態】
【００１０】
本発明のセメントクリンカーは、水硬率（Ｈ．Ｍ．）が２．００〜２．１０、フリーライム量が０．２〜０．８質量％、全クロム量が２００ｐｐｍ以上、及び、全クロム量中の六価クロムの割合が１０質量％以下のものである。
上記水硬率は、２．００〜２．１０、好ましくは２．０１〜２．０８、より好ましくは２．０２〜２．０６である。該値が２．００未満であると、固化材の強度発現性が低下する。該値が２．１０を超えると、廃棄物（特に、ＣａＯの含有量が少ない都市ごみ焼却灰）の使用量を増やすことが困難になる。
【００１１】
本発明のセメントクリンカーのケイ酸率（Ｓ．Ｍ．）は、好ましくは１．３０〜１．９０、より好ましくは１．４０〜１．８０である。該値が１．３０未満であると、液相量が増大してセメントクリンカーの製造が困難になる。該値が１．９０を超えると、廃棄物の使用量を十分に増やすことができなくなる。
【００１２】
本発明のセメントクリンカーの鉄率（Ｉ．Ｍ．）は、好ましくは１．５０〜２．１０、より好ましくは１．６０〜１．９０である。該値が１．５０未満であると、セメントクリンカーの被粉砕性が悪くなり、製造コストが高くなる。該値が２．１０を超えると、固化材の品質を確保するために必要な石膏の量が増えるため、製造コストが高くなる。
【００１３】
本発明のセメントクリンカーのフリーライム量は、０．２〜０．８質量％、好ましくは０．３〜０．６質量％である。該値が０．２質量％未満であると、焼成によってクリンカーを製造する際に必要な熱量が多くなる。該値が０．８質量％を超えると、固化材の強度発現性が低下する。
【００１４】
本発明のセメントクリンカー中の全クロム量は、２００ｐｐｍ以上、より好ましくは３００ｐｐｍ以上、特に好ましくは４００ｐｐｍ以上である。本発明のセメントクリンカーは、該値が２００ｐｐｍ以上であっても、上記セメントクリンカーを含む固化材を用いた固化改良土からの、六価クロムの溶出量が低いことから、セメントクリンカーの原料中の廃棄物の使用量（特に、都市ごみ焼却灰）を増加させることができる。該値の上限は特に限定されないが、固化改良土からの六価クロムの溶出量を低減する（例えば、土壌汚染対策法における六価クロムの溶出量の基準値以下（０．０５ｍｇ／リットル以下）とする）観点から、９００ｐｐｍ以下、より好ましくは８００ｐｐｍ以下である。
なお、本明細書中、「ｐｐｍ」は質量基準である。
【００１５】
上記全クロム量中の六価クロムの割合は、１０質量％以下、好ましくは９．５質量％以下、より好ましくは９質量％以下である。該割合が１０質量％以下であれば、固化改良土からの六価クロムの溶出量を低減することができる。
【００１６】
本発明のセメントクリンカーの原料としては、ポルトランドセメントクリンカーの製造に用いられる一般的な原料を使用することができる。具体的には、石灰石、生石灰、消石灰等のＣａＯ原料；珪石、粘土等のＳｉＯ2原料；粘土等のＡｌ2Ｏ3原料；鉄滓、鉄ケーキ等のＦｅ2Ｏ3原料を使用することができる。
【００１７】
さらに、前記原料に加えて、廃棄物を原料の一部として使用することができる。
ここで、本明細書中、「廃棄物」とは、産業廃棄物または一般廃棄物をいう。
産業廃棄物とは、事業活動に伴って生じた廃棄物をいう。産業廃棄物の例としては、生コンスラッジ、各種汚泥（例えば、下水汚泥、浄水汚泥、製鉄汚泥等）、建築廃材、コンクリート廃材、各種焼却灰（例えば、石炭灰、焼却飛灰、溶融飛灰等）、鋳物砂、ロックウール、廃ガラス、高炉２次灰、建設発生土（建設工事に伴い副次的に発生する土砂（例えば、地盤の掘削により生じるボーリング廃土）、及び建設汚泥（例えば、地盤改良工事で生じる、セメントミルクと掘削土の混合物））等が挙げられる。
一般廃棄物とは、産業廃棄物以外の廃棄物をいう。
一般廃棄物の例としては、都市ごみ焼却灰、下水汚泥乾粉、及び貝殻等が挙げられる。
これらは、１種を単独で用いてもよく、２種以上を組み合わせて用いてもよい。
本発明においては、リサイクルが進んでいない廃棄物を利用する観点から、都市ごみ焼却灰を原料の一部として使用することが望ましい。
【００１８】
上記廃棄物の使用量は、廃棄物の有効利用の促進の観点から、セメントクリンカー１ｔｏｎ当たり、好ましくは４００ｋｇ以上であり、固化材の強度発現性の観点から、より好ましくは４００〜８００ｋｇ、特に好ましくは５００〜７００ｋｇである。
また、原料として使用した上記廃棄物のうち、都市ごみ焼却灰の使用量は、セメントクリンカー１ｔｏｎ当たり、都市ごみ焼却灰の利用促進の観点から、好ましくは２５０ｋｇ以上であり、固化材の強度発現性の観点から、より好ましくは２５０〜６５０ｋｇ、特に好ましくは、３５０〜５５０ｋｇである。
なお、上記廃棄物の使用量（質量）は乾燥質量である。
【００１９】
本発明のセメントクリンカーは、還元焼成によって得ることができる。
本発明のセメントクリンカーの製造方法の一例としては、都市ごみ焼却灰を含むクリンカー原料を、還元剤の存在下で、フリーライム量が０．２〜０．８質量％になるように焼成する方法が挙げられる。
上記クリンカー原料は、所望の水硬率（２．００〜２．１０）等を有するセメントクリンカーが得られるように各原料を混合した後、還元焼成される。各原料を混合する方法は、特に限定されるものではなく、慣用の装置等を用いて行うことができる。
【００２０】
上記還元剤としては、コークス、活性炭、廃木材、廃プラスチック、重油スラッジ、及び都市ごみ等の廃棄物を圧縮・固形化した廃棄物固形塊等の可燃性物質が挙げられる。
ここで、本明細書中、「還元焼成」とは、還元雰囲気下で焼成することをいう。
還元焼成によってセメントクリンカーを製造することで、原料の廃棄物中にクロムが含まれていても、酸化雰囲気下で生じ易い六価クロムの生成を防止することができる。また、廃棄物を加熱（焼成）する工程において、廃棄物が一時的に酸化雰囲気下で加熱されることで六価クロムが生成しても、該六価クロムは三価クロムに還元されることから、セメントクリンカー中の六価クロムの量を低減することができる。
還元焼成の数々の方法の中でも、クリンカー原料を、上記還元剤の存在下で焼成する方法によれば、得られるセメントクリンカー中の六価クロムの量をより低減し、全クロム量中の六価クロムの割合をより低くすることができる。
【００２１】
原料を焼成する方法は、特に限定されるものではなく、例えば、ロータリーキルン等の慣用の装置を使用することができる。
また、上記還元焼成は、焼成のためのバーナーの炎が、焼成の終了前のセメントクリンカーに直接当たるように行うことが好ましい（以下、「炎膜焼成」ともいう。）。
還元剤の存在下での焼成と、炎膜焼成を併用することで、得られたセメントクリンカーに含まれる全クロム量中の六価クロムの割合をさらに低減することができる。
【００２２】
以下、還元焼成の一例として、ロータリーキルンを用いた場合について説明する。
焼成に使用する燃料としては、主燃料である石炭の他、重油、天然ガス、及び燃料代替廃棄物（例えば、廃油、廃タイヤ、及び廃プラスチック等）等が挙げられる。
焼成温度は、好ましくは１，３００〜１，６００℃であり、焼成時間は、好ましくは１０〜１２０分間、より好ましくは２０〜１００分間である。
ロータリーキルンを用いて炎膜焼成を行う方法としては、（ａ）主バーナーからの炎の方向に角度を付けて、炎がセメントクリンカーをなめるように加熱（焼成）する方法、（ｂ）主バーナーの設置位置を中心位置からずらすことで、炎がセメントクリンカーをなめるように加熱（焼成）する方法、（ｃ）主バーナー以外に補助バーナーを設置することで、炎の形状を制御しやすいようにして、炎がセメントクリンカーをなめるように加熱（焼成）する方法等が挙げられる。
【００２３】
還元剤の存在下でセメントクリンカーを焼成する方法としては、ロータリーキルン内に還元剤を供給する方法等が挙げられる。
上記還元剤は、ロータリーキルンの出口側あるいはロータリーキルンの途中から供給することが好ましい。また、上記還元剤は、ロータリーキルン用の主燃料に比べて燃焼速度の遅いもの、または、主燃料と同様の燃焼速度を有しかつ主燃料よりも粗い粒のものが好ましい。
【００２４】
上記還元剤の粒径は、好ましくは０．１〜２０ｍｍである。該粒径が０．１ｍｍ以上であれば、焼成の極初期段階において還元剤が燃えきってしまうことがないため、セメントクリンカー中の六価クロムの量を低減することができ、固化改良土からの六価クロムの溶出量を低減することができる。該粒径が２０ｍｍ以下であると、セメントクリンカー中に未燃焼状態の還元剤が残存することが起こりにくいため、固化材の強度発現性が向上する。
【００２５】
上記還元剤の使用量は、ロータリーキルン内に送入されたクリンカー原料１００質量部当たり、好ましくは５〜２０質量部、より好ましくは１０〜２０質量部である。該量が５質量部以上であると、セメントクリンカー中の六価クロムの量をより低減できる。該量が２０質量部以下であると、過剰な量の（六価クロム量をゼロにするための量を超える量）還元剤を使用せずにすみ、経済的である。
【００２６】
焼成後、得られたセメントクリンカーは、該セメントクリンカーの温度が４００℃以下になるまで、４０℃／分間以上の冷却速度で冷却されることが好ましい。該冷却速度が４０℃／分間以上であれば、セメントクリンカー中の三価クロムが、空気中の酸素により六価クロムに酸化されることを防ぐことができる。
また、セメントクリンカーの温度が４００℃以下になると、セメントクリンカー中の三価クロムが空気中の酸素により六価クロムに酸化される可能性は極めて小さくなる。
なお、セメントクリンカーの温度が４００℃以下まで冷却された後の焼成物の冷却速度は、特に限定するものではない。
【００２７】
セメントクリンカーを４０℃／分間以上の冷却速度で冷却する方法としては、エアークエンチングクーラーを使用して冷却する方法、セメントクリンカーを水中に投入して冷却する方法、及びセメントクリンカーに散水して冷却する方法等が挙げられる。
【００２８】
本発明の固化材は、上記セメントクリンカーの粉砕物、及び、石膏を含むものである。該固化材は、さらに、高炉スラグ微粉末、フライアッシュ、珪石粉末及び石灰石粉末等を含んでいてもよい。
上記固化材は、強度発現性等の観点から、石膏をセメントクリンカー粉砕物１００質量部に対して、ＳＯ3換算で、好ましくは２〜１５質量部、より好ましくは３〜１３質量部含むものである。
上記石膏としては、無水石膏、半水石膏、二水石膏、又はこれらの混合物が挙げられる。
上記固化材のブレーン比表面積は、固化材の強度発現性や製造等に係るコスト、さらには固化改良土の耐久性等の観点から、好ましくは２，５００〜５，０００ｃｍ２／ｇ、より好ましくは３，０００〜４，５００ｃｍ２／ｇである。
【００２９】
上記固化材の製造方法としては、上記セメントクリンカーを粉砕した後、石膏と混合する方法、及び上記セメントクリンカーと石膏を混合した後、同時に粉砕する方法等が挙げられる。
固化材の原料として、さらに高炉スラグ微粉末、フライアッシュ、珪石粉末及び石灰石粉末等を使用する場合は、上記固化材の製造方法において、これらの粉末を適宜、添加混合すれば良い。
【００３０】
固化改良対象土に対する、本発明の固化材の使用量は、対象土の性状や施工条件、固化処理した土の要求強度にもよるが、対象土１ｍ３当り、好ましくは５０〜５００ｋｇ、より好ましくは１５０〜４００ｋｇである。
本発明の固化材の使用方法としては、１）対象土に固化材を粉体のまま添加、混合するドライ添加、２）固化材と水を混合してなるスラリーを、対象土に添加、混合するスラリー添加、が挙げられる。
スラリー添加を行う場合、水と固化材の質量比（水／固化材比）は、好ましくは０．５〜１．５、より好ましくは０．６〜１．０である。
【実施例】
【００３１】
［実施例１］
セメントクリンカー用の原料（クリンカー原料）として、エコセメント用の調合原料を使用した。上記クリンカー原料中の廃棄物の量は、セメントクリンカー１ｔｏｎ当たり、
５１７ｋｇであった。また、廃棄物に含まれる都市ごみ焼却灰の量は、セメントクリンカー１ｔｏｎ当たり、３５６ｋｇであった。
上記クリンカー原料について、「セメント協会標準試験方法  ＪＣＡＳ  Ｉ‐１４（セメント製造用原料の化学分析方法）」に準拠して化学組成を測定した。結果を表１に示す。
【００３２】
【表１】
0006333690.tif 000002
【００３３】
上記クリンカー原料を、ロータリーキルンを用いて、以下の方法で焼成してセメントクリンカーＡを製造した。
ロータリーキルンとしては、メインバーナーに補助バーナーを追加したものを使用した。ロータリーキルンのメインバーナーの運転条件（燃焼種類、焚量（石炭の時間当たりの使用量））は固定したまま、補助バーナーの運転条件を変更することで、バーナーフレームの大きさ及び形状を変更した。
ロータリーキルンの主燃料としては石炭を使用した。該石炭の焚量を補助バーナー側で調整することで、焼成後のセメントクリンカー中のフリーライム量が０．２〜０．８質量％となるようにした。
還元剤としては、コークス（東海産興社製；粒径：３ｍｍ以下；固定炭素量：９９質量％以上）を使用した。還元剤の吹き込みは、補助バーナー側から行った。還元剤の使用量は、ロータリーキルン内に送入されたクリンカー原料１００質量部に対して、１８質量部となるようにした。
また、補助バーナーの炎の大きさ及び形状を変更して、バーナーの炎が、焼成の終了前のセメントクリンカーに直接当たるように調整することで、炎膜焼成を行った。
焼成条件としては、焼成時間は４０分間とした。
焼成後のセメントクリンカーの冷却には、エアークエンチングクーラーを使用した。
【００３４】
得られたセメントクリンカーについて、「ＪＩＳ  Ｒ  ５２０４（セメントの蛍光Ｘ線分析法）」に準拠して化学分析を行い、水硬率、ケイ酸率、鉄率、ボーグ式によるＣ3Ｓ、Ｃ2Ｓ、Ｃ3Ａ及びＣ4ＡＦの含有率を算出した。
また、「セメント協会標準試験方法  ＪＣＡＳ  Ｉ０１（遊離酸化カルシウムの定量方法）」に準拠して、セメントクリンカーのフリーライム量を測定した。結果を表２に示す。
さらに、「セメント協会標準試験方法  ＪＣＡＳ  Ｉ−５１（セメント及びセメント原料中の微量成分の定量方法）」に準拠して、セメントクリンカー中の全クロム量、及び六価クロム量を測定した。また、得られた全クロム量と六価クロム量から、全クロム量中の６価クロムの割合を算出した。結果を表３に示す。
【００３５】
【表２】
0006333690.tif 000003
【００３６】
【表３】
0006333690.tif 000004
【００３７】
［セメントの製造］
セメントクリンカーと石膏（新日鐵住金社の鹿島製鉄所製の排脱二水石膏）を、同時にボールミルを用いて粉砕することで、表４に示すブレーン比表面積及び石膏の含有率を有するセメントを製造した。なお、粉砕において、粉砕助剤としてジエチレングリコールを２００ｐｐｍ使用した。
【００３８】
【表４】
0006333690.tif 000005
【００３９】
［固化材の製造］
上記セメントに、高炉スラグ微粉末（エスメント関東社製；商品名：エスメント  ４０００；ブレーン比表面積：４，３５０ｃｍ２／ｇ）及び無水石膏（タイ国産天然無水石膏；ブレーン比表面積：３，７００ｃｍ２／ｇ）を表５に示す配合で混合して、固化材を得た。
【００４０】
【表５】
0006333690.tif 000006
【００４１】
固化改良対象土として、関東ローム（茨城県守谷市美園産；含水比：１１１％（「ＪＩＳ  Ａ  １２０３（土の含水比試験方法）」に準拠して得られた１１０℃恒量値）；湿潤密度１．３９ｇ／ｃｍ３（「ＪＩＳ  Ａ  １２１０（突固めによる土の締固め試験方法）に準拠」））を使用した。
水と表５、６に示す配合で製造した固化材を、水と固化材の質量比（水／固化材比）が１．０となるように混合してスラリーを得た後、上記土と上記スラリーを、ホバートミキサーを用いて３分間混合して、固化改良土を得た。
なお、固化材の使用量は、固化改良対象土１ｍ３当り４００ｋｇとなる量である。
得られた固化改良土の材齢７日および２８日における一軸圧縮強さを、「ＪＩＳ  Ａ  １２１６（土の一軸圧縮試験方法）」に準拠して測定した。
また、材齢７日および２８日の固化改良土について環境省告示１８号に準拠して六価クロムの溶出試験を行い、「ＪＩＳ  Ｋ  ０１０２（工場排水試験方法）」に準拠して、固化改良土からの六価クロムの溶出量を測定した。結果を表６に示す。
【００４２】
【表６】
0006333690.tif 000007
【００４３】
［実施例２］
炎膜焼成を行わない以外は、実施例１と同様にしてセメントクリンカーＢを得た。セメントクリンカーＡの代わりにセメントクリンカーＢを用いる以外は実施例１と同様にして、固化材を製造した後、表５、６に示す配合で製造した固化材を用いて、固化改良土を得た。
得られた固化改良土の一軸圧縮強さ、及び、固化改良土からの六価クロムの溶出量を測定した。結果を表６に示す。
【００４４】
［実施例３］
還元剤の使用量を９質量部とする以外は、実施例２と同様にしてセメントクリンカーＣを得た。セメントクリンカーＡの代わりにセメントクリンカーＣを用いる以外は実施例１と同様にして、固化材を製造した後、表５、６に示す配合で製造した固化材を用いて、固化改良土を得た。
得られた固化改良土の一軸圧縮強さ、及び、固化改良土からの六価クロムの溶出量を測定した。結果を表６に示す。
【００４５】
［比較例１］
還元剤を使用しない以外は、実施例２と同様にしてセメントクリンカーＤを得た。セメントクリンカーＡの代わりにセメントクリンカーＤを用いる以外は実施例１と同様にして、固化材を製造した後、表５、６に示す配合で製造した固化材を用いて、固化改良土を得た。
得られた固化改良土の一軸圧縮強さ、及び、固化改良土からの六価クロムの溶出量を測定した。結果を表６に示す。
【００４６】
［比較例２］
還元剤を使用しない以外は、実施例１と同様にしてセメントクリンカーＥを得た。セメントクリンカーＡの代わりにセメントクリンカーＥを用いる以外は実施例１と同様にして、固化材を製造した後、表５、６に示す配合で製造した固化材を用いて、固化改良土を得た。
得られた固化改良土の一軸圧縮強さ、及び、固化改良土からの六価クロムの溶出量を測定した。結果を表６に示す。
【００４７】
本発明のセメントクリンカー（実施例１〜３）は、都市ごみ焼却灰の使用量が３５６ｋｇと、大きいものである。
また、表６から、全クロム量が４００ｐｐｍを超えるセメントクリンカーを含む固化材であっても、固化改良土からの六価クロムの溶出量を低く（０．０５ｍｇ／リットル以下）することができることがわかる（実施例１〜３）。